(57)【要約】【課題】製作が容易で耐久性に優れた音響用振動ユニットを提供する。【解決手段】振動ユニット１は、ボイスコイル３に音声信号電流を印加すると、上下に微震動して振動体７が段部１４から浮き上がり、その状態でゆっくり回転する。振動体７の重さと磁力とが拮抗する位置で回転が停止し、その位置で上下方向に振動する。断面四角形でリング状のダンパー１２を環状磁石１１の外周に嵌着するもので、取り付け作業が簡単に行える。振動体７がダンパー１２を介してケース６に固着されていないから、ケース６とダンパー１２の接着が剥がれ異音が発生することがない。また、経年によりゴムや樹脂が劣化したり、温度膨張を繰り返したりしてダンパー１２が破損したりする等の問題点を生ずることがない。【選択図】図１
2010011003.tif 000002
【特許請求の範囲】
【請求項１】
上蓋の中心に有底円形のケース内へ向かって、垂下状に固定したボイスコイルと、該ボイスコイルのボビンの下端から挿入するとともに、前記ケース内でボビン内周に対して径方向及び上下方向の振動間隙を確保したヨークと、該ヨークの下端部に形成したフランジに載置して、前記ボイスコイルの外周に対して径方向の前記振動間隙を確保した環状磁石とから構成した音響用振動ユニットにおいて、
前記環状磁石の外周に、前記ケースの内周壁との間でダンパー作用を生じる環状のダンパーを嵌着するとともに、前記ヨーク、環状磁石及びダンパーからなる振動体を、前記ボイスコイルの周りで回転可能とし、さらに、前記ケースの内周壁にダンパーの外周を保持する段部を設けて、非作動時の前記振動体を保持することを特徴とする音響用振動ユニット。
【請求項２】
上蓋の中心に有底円形のケース内へ向かって、垂下状に固定したボイスコイルと、該ボイスコイルのボビンの下端から挿入するとともに、前記ケース内でボビン内周に対して径方向及び上下方向の振動間隙を確保したヨークと、該ヨークの下端部に形成したフランジに載置して、前記ボイスコイルの外周に対して径方向の前記振動間隙を確保した環状磁石とから構成した音響用振動ユニットにおいて、
前記環状磁石の外周に、前記ケースの内周壁との間でダンパー作用を生じる断面円形で環状のダンパーを嵌着するとともに、前記ヨーク、環状磁石及びダンパーからなる振動体を、前記ボイスコイルの周りで回転可能とし、さらに、前記ダンパーの外周部を前記ケースの内周壁に接触させて、非作動時の前記振動体を保持することを特徴とする音響用振動ユニット。
【発明の詳細な説明】
【技術分野】
【０００１】
本発明は、音声信号に同期する振動を体感できる音響用振動ユニットに関するものである。
【背景技術】
【０００２】
従来の音響用振動ユニットは、磁石及びヨークで構成される振動体が、板バネ、ゴムや樹脂部材等のダンパーを介してケース内周に固着されていた。ゴムや樹脂からなるダンパーは、接着によりケースに固着されているが、振動体の振動により接着が剥がれ異音が発生したり、経年によりゴムや樹脂が劣化したり、温度膨張によりダンパーが破損したりする等、耐久性に問題があった。
【０００３】
また、特許第３１８４８７１号に開示された体感振動子のケース内周壁には、等角度間隔に半円形断面の突状が縦方向に形成されている。そして、隣り合う突状の間が溝状の凹部となっている。ダンパーとしてのゴムチューブが、この溝状の凹部に圧入されている。
【０００４】
ゴムチューブの圧入のために、ケース内周壁に半円形断面の突状を形成することは面倒であるとともに、ゴムチューブを圧入する作業も面倒である。さらに、ゴムチューブも特殊な形状にする必要がある。
【特許文献１】特許第３１８４８７１号
【発明の開示】
【発明が解決しようとする課題】
【０００５】
本発明は、上記した問題点を解決するためになされたもので、耐久性に優れ、製作が容易な音響用振動ユニットを提供することを目的とするものである。
【課題を解決するための手段】
【０００６】
上記の目的を達成するための請求項１に記載の音響用振動ユニットは、上蓋の中心に有底円形のケース内へ向かって、垂下状に固定したボイスコイルと、該ボイスコイルのボビンの下端から挿入するとともに、前記ケース内でボビン内周に対して径方向及び上下方向の振動間隙を確保したヨークと、該ヨークの下端部に形成したフランジに載置して、前記ボイスコイルの外周に対して径方向の前記振動間隙を確保した環状磁石とから構成した音響用振動ユニットにおいて、前記環状磁石の外周に、前記ケースの内周壁との間でダンパー作用を生じる環状のダンパーを嵌着するとともに、前記ヨーク、環状磁石及びダンパーからなる振動体を、前記ボイスコイルの周りで回転可能とし、さらに、前記ケースの内周壁にダンパーの外周を保持する段部を設けて、非作動時の前記振動体を保持することを特徴とする。
【０００７】
請求項２に記載の音響用振動ユニットは、上蓋の中心に有底円形のケース内へ向かって、垂下状に固定したボイスコイルと、該ボイスコイルのボビンの下端から挿入するとともに、前記ケース内でボビン内周に対して径方向及び上下方向の振動間隙を確保したヨークと、該ヨークの下端部に形成したフランジに載置して、前記ボイスコイルの外周に対して径方向の前記振動間隙を確保した環状磁石とから構成した音響用振動ユニットにおいて、前記環状磁石の外周に、前記ケースの内周壁との間でダンパー作用を生じる断面円形で環状のダンパーを嵌着するとともに、前記ヨーク、環状磁石及びダンパーからなる振動体を、前記ボイスコイルの周りで回転可能とし、さらに、前記ダンパーの外周部を前記ケースの内周壁に接触させて、非作動時の前記振動体を保持することを特徴とする。
【発明の効果】
【０００８】
請求項１に記載の音響用振動ユニットは、環状のダンパーを環状磁石の外周に嵌着するもので、取り付け作業が簡単に行える。また、ヨーク、環状磁石及びダンパーからなる振動体を、ボイスコイルの周りで回転可能とするとともに、ケースの内周壁にダンパーの外周を保持する段部を設けて、非作動時の振動体を保持するものである。従って、振動体がダンパーを介してケースに固着されていないから、ケースとダンパーの接着が剥がれ異音が発生することがない。また、経年によりゴムや樹脂が劣化したり、温度膨張を繰り返したりしてダンパーが破損したりする等の問題点を生ずることがない。
【０００９】
請求項２に記載の音響用振動ユニットは、断面円形で環状のダンパーを環状磁石の外周に嵌着するもので、取り付け作業が簡単に行える。また、ヨーク、環状磁石及びダンパーからなる振動体を、ボイスコイルの周りで回転可能とするとともに、ダンパーの外周部をケースの内周壁に接触させ、非作動時の振動体を保持するものである。従って、振動体がダンパーを介してケースに固着されていないから、ケースとダンパーの接着が剥がれ異音が発生することがない。また、経年によりゴムや樹脂が劣化したり、温度膨張を繰り返したりしてダンパーが破損したりする等の問題点を生ずることがない。
【実施例】
【００１０】
本発明に係る音響用振動ユニット（以下、単に振動ユニットという。）１について、添付図面を参照して説明する。図１は振動ユニット１を示した縦断面図である。振動ユニット１は、ケース上蓋２に固定したボイスコイル３と、有底円形のケース６に収納されて保持される振動体７とから構成される。
【００１１】
ボイスコイル３を巻回したボビン４は、その上端部がボンドによりケース上蓋２の中心に形成した取り付け孔５に接着され、ケース６の内部に向かって垂下状に固定されている。
【００１２】
一方、振動体７は、ヨーク８と環状磁石１１とダンパー１２とから構成されている。ヨーク８は円筒形のヨーク本体９と下端部に一体成形したフランジ１０とからなる。ヨーク本体９は、ボイスコイル３のボビン４の下端から挿入するとともに、ボビン４の内周に対して径方向及び上下方向の振動間隙を確保されている。下端部に形成したフランジ１０には、前記ボイスコイル３の外周に対して径方向の振動間隙を確保した環状磁石１１が載置されている。
【００１３】
環状磁石１１の外周には、断面四角形でシリコンゴム製のリング状のダンパー１２が嵌着されている。また、環状磁石１１の上面には、リング形の上部ヨーク１３が取り付けられている。この上部ヨーク１３とフランジ１０とにより、ダンパー１２の内周縁部を挟み込んでいる。
【００１４】
ヨーク８及び上部ヨーク１３と環状磁石１１とダンパー１２から構成される振動体７は、ボイスコイル３に音声信号電流を印加しない非作動時には、ダンパー１２の外周をケース６の内周壁に設けた段部１４により保持されてケース６内に収納されている。そして、段部１４より上部のケース内周壁の内径よりも、ダンパー１２の外径寸法を小さくして、振動体７がケース６内で回転できるようにしてある。
【００１５】
上記構成の振動ユニット１は、ボイスコイル３に音声信号電流を印加すると、環状磁石１１の磁極とボイスコイル３間に磁気干渉作用が生じる。通電開始当初に環状磁石１１が磁力反発により、上下に微震動して振動体７が段部１４から浮き上がり、その状態でゆっくりと回転する。振動体７の重さと磁力とが拮抗する位置まで僅かに回転して停止し、その位置で上下方向に振動する。
【００１６】
上記構成及び作用の振動ユニット１は、断面四角形でシリコンゴム製のリング状のダンパー１２を環状磁石１１の外周に嵌着するもので、取り付け作業が簡単に行える。また、振動体７をボイスコイル３の周りで回転可能とするとともに、ケース６の内周壁にダンパー１２の外周を保持する段部１４を設けて、非作動時の振動体７を保持するものであり、振動体７がダンパー１２を介してケース６に固着されていないから、ケース６とダンパー１２の接着が剥がれ異音が発生することがない。また、経年によりゴムや樹脂が劣化したり、温度膨張を繰り返したりしてダンパー１２が破損したりする等の問題点を生ずることがない。
【００１７】
図２は、他の実施例の振動ユニット２１を示した縦断面図である。振動ユニット２１と上記振動ユニット１との相違点は、ケース上蓋２２をケース２６に対してねじ込み式にした点、シリコンゴム製のリング状のダンパー３２を円形断面にした点及びケース２６にダンパー３２の外周を保持する円弧面３４を設けた点である。その他は、振動ユニット１の構成と同様である。このため、振動ユニット１と同一符号を付して詳細な説明を省略する。
尚、ケース上蓋２２とケース２６の間は、ビス（図示しない）により締着して、振動によりケース上蓋２２が緩まないようにしてある。
【００１８】
円弧面３４の曲率は、ダンパー３２の円形断面の局率に合わせて形成されている。そして、円弧面３４の上端位置の最大外径は、ダンパー３４の外径寸法より大きくして、振動体１７がケース２６内で回転できるようにしてある。
【００１９】
上記構成の振動ユニット２１は、ボイスコイル３に音声信号電流を印加すると、環状磁石１１の磁極とボイスコイル３間に磁気干渉作用が生じる。通電開始当初に環状磁石１１が磁力反発により、上下に微震動して振動体１７が円弧面３４から浮き上がり、その状態でゆっくりと回転する。振動体１７の重さと磁力とが拮抗する位置まで僅かに回転して停止し、その位置で上下方向に振動する。
【００２０】
上記構成及び作用の振動ユニット２１は、断面円形でリング状のダンパー３２を環状磁石１１の外周に嵌着するもので、取り付け作業が簡単に行える。また、振動体１７をボイスコイル３の周りで回転可能とするとともに、ケース２６の内周壁にダンパー３２の外周を保持する円弧面３４を設けて、非作動時の振動体１７を保持するものである。
【００２１】
従って、振動体１７がダンパー３２を介してケース２６に固着されていないから、ケース２６とダンパー３２の接着が剥がれ異音が発生することがない。また、経年によりゴムや樹脂が劣化したり、温度膨張を繰り返したりしてダンパー３２が破損したりする等の問題点を生ずることがない。
【００２２】
尚、ダンパー１２，３２は、合成ゴム製や軟質の合成樹脂製であってもよい。
【図面の簡単な説明】
【００２３】
【図１】振動ユニット１を示した縦断面図である。
【図２】振動ユニット２１を示した縦断面図である。
【符号の説明】
【００２４】
１，２１  振動ユニット
２，２２  ケース上蓋
３  ボイスコイル
４  ボビン
６，２６  ケース
７，１７  振動体
８  ヨーク
１０  フランジ
１１  環状磁石
１２，３２  ダンパー
１４  段部
３４  円弧面
【図１】
2010011003.tif 000003
【図２】
2010011003.tif 000004